(57)【要約】【課題】光スイッチにおいて、切換えるポートごとに光路長に差が生じ、挿入損失が一定にならないという問題があった。またポート数を増やすと、切換えるポートごとの光路長の差が大きくなって挿入損失の差も大きくなり、さらに光スイッチが大型化するという問題があった。【解決手段】光ファイバ３ａ〜３ｌとコリメータ４ａ〜４ｌとで第２ポートを形成し、それら第２ポートは仮想円５の円周上に並べて、第２ポート群６を構成する。第１ポートのコリメータ２は、その光軸を仮想円５の中心軸と一致させて、第２ポート群６に対向するように所定の間隔を隔てて配置される。第１ポートと第２ポートとの間に、コリメータ２と各コリメータ４ａ〜４ｌとの間で光路を結ぶプリズム７が配置される。モータ９はこのプリズム７を回動させて、コリメータ２といずれかのコリメータ４ａ〜４ｌの間で光路が結ばれる。【選択図】図１
2007193009.tif 000002
【特許請求の範囲】
【請求項１】
コリメートビームの入出力ポートである第１ポートと、
コリメートビームの入出力ポートである複数の第２ポートからなる第２ポート群と、
前記第２ポート群のうちの１つの前記第２ポートと前記第１ポートとの間で光路を結ぶ光路変更素子と、
前記第１ポートの光軸と一致する回転軸を持ち、前記光路変更素子を前記回転軸に沿って回転させる光路変更素子回転部と、を具備し、
前記複数の第２ポートは、前記第１ポートの光軸に対して空間的に対称に配置される光スイッチ。
【請求項２】
前記第１ポートの入出力の端面は、前記第２ポート群の入出力の端面と所定の間隔をあけて前記第１ポートの光軸と前記第２ポート群の光軸とが互いに平行となるように対向して配置されており、
前記光路変更素子回転部は、前記光路変更素子を前記所定の間隔内に保持する請求項１記載の光スイッチ。
【請求項３】
前記光路変更素子回転部に固定され、前記光路変更素子を保持し、前記第２ポート群のいずれの光軸とも交わらない第１の位置と、前記第２ポートの光軸と交わる第２の位置との間で前記光路変更素子を移動させる位置調整部をさらに備える請求項１又は２記載の光スイッチ。
【請求項４】
前記光路変更素子は、前記第１ポートの光軸に向かう第１の反射面と、前記第２ポートの光軸に向かう第２の反射面とを有する素子である請求項１〜３のいずれか１項記載の光スイッチ。
【請求項５】
前記光スイッチは、
前記複数の第２のポートと光軸を結ぶように配置される、コリメートビームの入出力ポートである複数の第３ポートからなる第３ポート群を更に有する請求項１〜４のいずれか１項記載の光スイッチ。
【発明の詳細な説明】
【技術分野】
【０００１】
本発明は光通信機器における光スイッチに関する。
【背景技術】
【０００２】
従来より、光通信の１つのポートから他の複数ポートへの光信号の切換えは行なわれており、この振り分けに様々なスイッチが用いられている。また、このスイッチを応用して光通信を安全にかつ安定的に行なうために、故障回線を予備回線に切換える技術も公開されている。この技術は、一つの回線の入力または出力ポートが故障したときは、直ちに別のポートに切換えて通信を継続させるものである。
【０００３】
このようなポートの切換えに、光スイッチが用いられる。図１１は従来の光スイッチの一例を示す構成図である。光ファイバ６０，６２ａ〜６２ｅに接続されたコリメータ６１，６３ａ〜６３ｅは、その光軸をたがいに平行にして同一平面上に入出力ポートとして配置されている。コリメータ６３ａ〜６３ｅは並列に並んでおり、コリメータ６１は、その光軸がコリメータ６３ａ〜６３ｅの配列の範囲外になるように、コリメータ６３ａ〜６３ｅに対向するように配置されている。固定ミラー６４はコリメータ６１の光軸に４５°で交わるように配置されている。可動ミラー６５はコリメータ６３ａ〜６３ｅの各光軸と４５°で交わりながら、固定ミラー６４と重なる位置からコリメータ６３ｅの光軸と交わる位置までリニアスライダなどで直線移動をするように構成される。
【０００４】
図１１において、入力ポートであるコリメータ６１を発したコリメートビームは固定ミラー６４と可動ミラー６５で反射して、コリメータ６３ｃの光軸に沿って入射する。これによってコリメータ６１とコリメータ６３ｃとの間で光路が結ばれている。この状態から、ポート切換の指示によって、可動ミラー６５がコリメータ６３ｄの光軸と交わる破線部の位置まで移動すると、コリメータ６１とコリメータ６３ｄとの間で光路が結ばれポートの切換が完了する。
【０００５】
図１２は従来の光スイッチの他の例を示す構成図である。光ファイバ６０，６２ａ〜６２ｅ、コリメータ６１，６３ａ〜６３ｅ、固定ミラー６４と可動ミラー６５は、図１１の光スイッチと同様の構成である。本光スイッチではさらに、光ファイバ７０ａ〜７０ｅとコリメータ７１ａ〜７１ｅを備えている。コリメータ７１ａ〜７１ｅはそれぞれ光ファイバ７０ａ〜７０ｅに接続して入出力ポートを形成しており、夫々コリメータ６３ａ〜６３ｅと１対１で光軸を一致するように配置されている。通常、可動ミラー６５はコリメータ６３ａ〜６３ｅの配列の範囲外でコリメータ６３ａ〜６３ｅの光軸と交わらない破線部の位置にあり、ポート切換時に移動するものである。
【０００６】
各ポートに故障などのない平時は、入力ポートであるコリメータ７１ａ〜７１ｅと出力ポートである６３ａ〜６３ｅとの間で、コリメートビームによる光信号の送受信が行なわれている。このとき可動ミラー６５は各ポートの光軸を遮らない破線部の位置にある。いずれかのポートで、例えばコリメータ７１ｃ側のポートで故障が生じた場合は、ポート切換の指示によって可動ミラー６５がコリメータ６３ｃの光軸と交わる位置に移動する。続いて代替用ポートとしてコリメータ６１側のポートが、コリメータ７１ｃ側のポートに代わってコリメートビームを発する。このコリメートビームは固定ミラー６４と可動ミラー６５で反射し、コリメータ６３ｃの光軸に沿って入射する。これによってコリメータ６１とコリメータ６３ｃとの間で光路が結ばれ、ポートの切換が完了する。
【０００７】
以上が従来の光スイッチの例であるが、同様に特許文献１にも光スイッチが開示されている。
【特許文献１】特開２００５−２３４２２５号公報
【発明の開示】
【発明が解決しようとする課題】
【０００８】
このような従来の光スイッチでは、入力ポートと出力ポートを結ぶ光路長が可動ミラーの位置によって変化し、光路長の差から挿入損失の差が生じる。さらに、並列に並ぶポートが増えれば、可動ミラーの移動距離が長くなり、光路長の差がより大きなものとなるとともに、スイッチ本体が大きくなるため、ポート数を容易には増やすことができない。また、可動ミラーの移動過程において、可動ミラーが途中のポートの光軸を遮るので、故障とは無関係な回線の瞬断が起こるという問題点もあった。
【０００９】
本発明はこのような問題に鑑みてなされたものであり、光スイッチにおいてポート切換えによる光路長の変化を少なくすると共に、ポートの増設に対する高い拡張性を確保することを目的とする。
【課題を解決するための手段】
【００１０】
この課題を解決するために、本発明の光スイッチは、コリメートビームの入出力ポートである第１ポートと、コリメートビームの入出力ポートである複数の第２ポートからなる第２ポート群と、前記第２ポート群のうちの１つの前記第２ポートと前記第１ポートとの間で光路を結ぶ光路変更素子と、前記第１ポートの光軸と一致する回転軸を持ち、前記光路変更素子を前記回転軸に沿って回転させる光路変更素子回転部と、を具備し、前記複数の第２ポートは、前記第１ポートの光軸に対して空間的に対称に配置されるものである。
【００１１】
ここで前記第１ポートの入出力の端面は、前記第２ポート群の入出力の端面と所定の間隔をあけて前記第１ポートの光軸と前記第２ポート群の光軸とが互いに平行となるように対向して配置されており、前記光路変更素子回転部は、前記光路変更素子を前記所定の間隔内に保持するようにしてもよい。
【００１２】
ここで前記光路変更素子回転部に固定され、前記光路変更素子を保持し、前記第２ポート群のいずれの光軸とも交わらない第１の位置と、前記第２ポートの光軸と交わる第２の位置との間で前記光路変更素子を移動させる位置調整部をさらに備えるようにしてもよい。
【００１３】
ここで前記光路変更素子は、前記第１ポートの光軸に向かう第１の反射面と、前記第２ポートの光軸に向かう第２の反射面とを有する素子としてもよい。
【００１４】
ここで前記光スイッチは、前記複数の第２のポートと光軸を結ぶように配置される、コリメートビームの入出力ポートである複数の第３ポートからなる第３ポート群を更に有するようにしてもよい。
【発明の効果】
【００１５】
このような特徴を有する本発明によれば、光スイッチの小型化が実現できるとともに、ポートの増減に対する高い自由度が得られる。又ポート切換えによる光路長の変化が無いので挿入損失を不変に保つことができる。これに加えて、請求項３及びこれに従属する請求項の光スイッチによれば、無関係な回線を瞬断することなく切換を行うことができる。
【発明を実施するための最良の形態】
【００１６】
（実施の形態１）
本発明の実施の形態１の光スイッチについてその構成図である図１と、入出力ポートと光路変更素子の構成図である図２とを用いて説明する。光ファイバ１は第１のコリメータ２に接続されており、入出力ポートである第１ポートを形成している。
【００１７】
光ファイバ３ａ〜３ｌは夫々第２のコリメータ４ａ〜４ｌに接続されており、入出力ポートである第２ポートを形成している。尚、図１は光ファイバ３ｄ，３ｊ、コリメータ４ｄ，４ｊを図示していない。コリメータ４ａ〜４ｌの各端面は１つの平面上にあり、各コリメータ４ａ〜４ｌの光軸が平行かつ等間隔になるように仮想円５の円周上に並んで第２ポート群６を構成している。このとき、各コリメータ４ａ〜４ｌの光軸は図２に示すように仮想円５の中心から見て中心角が３０°となっている。また、仮想円５の中心軸はコリメータ２の光軸と一致しており、コリメータ２，４ａ〜４ｌの光軸が平行となっている。
【００１８】
六面体のプリズム７は、コリメータ２とコリメータ４ａ〜４ｌとを結ぶ光路を変更する光路変更素子である。プリズム７は、互いに平行な第１の反射面８ａと第２の反射面８ｂを備えており、側面は２つの平行四辺形となっている。更にプリズム７はコリメータ２とコリメータ４ａ〜４ｌの光軸と垂直に交わる２つの側面８ｃ，８ｄを持つ。プリズム７はコリメータ２と第２ポート群６との間に配置され、連結部１０を介してモータ９に連結されている。プリズム７はモータ９の回転によって第１ポートの光軸を中心として回転運動をすることにより光路を変更するものであり、第２ポート群６の仮想円５との距離と角度は一定に保たれる。さらに、反射面８ａはコリメータ２に向かっており、コリメータ２の光軸と反射面８ａは４５°で交わっている。反射面８ｂは第２ポート群６のいずれかのコリメータ、例えば図１ではコリメータ４ｇに向かっており、コリメータ４ｇの光軸と反射面８ｂは４５°で交わっている。コリメータ２の光軸と反射面８ａとの交点と、コリメータ４ｇの光軸と反射面８ｂとの交点との間隔は仮想円５の半径と等しい。
【００１９】
モータ９は、連結部１０を介してプリズム７を回転運動させる光路変更素子回転部である。連結部１０は、プリズム７とモータ９を連絡するクランク状の部材である。モータ９は仮想円５の中心付近に配置されている。
【００２０】
図１と図２を用いて、実施の形態１の光スイッチの動作について説明する。図１では、コリメータ２とコリメータ４ｇとの間で光信号が送受信されている状態を表している。光ファイバ１を通り、コリメータ２から出射したコリメートビームは、直進してプリズム７の側面８ｃに垂直に入射し、反射面８ａに４５°の入射角で入射する。反射面８ａで反射したコリメートビームはプリズム７内を透過し、反射面８ｂに４５°の入射角で入射する。反射面８ｂで反射したコリメートビームはプリズム７の側面８ｄから出射し、コリメータ４ｇの光軸に沿って入射する。以上の経路によって、コリメータ２とコリメータ４ｇとの間で光路が結ばれている。
【００２１】
コリメータ２からのコリメートビームをいずれかのポート、例えばコリメータ４ｉ側のポートに入射するように切換える必要がある場合は、切換えの指示がなされ、モータ９によってプリズム７が回転する。図２に示すようにプリズム７がちょうど６０°回転すると、それに合わせてプリズム７が破線部から６０°回転して実線部に移動し、コリメータ４ｉの光軸と反射面８ｂが４５°で交わる。コリメータ２を出射したコリメートビームは前述の経路と同じ経路を辿って反射面８ｂで反射されるが、反射によって変更された光路はコリメータ４ｉの光軸と一致しているので、この光軸に沿って第２コリメータ４ｉに入射する。このようにコリメータ２とコリメータ４ｉとの間で光路が結ばれて切換えが終了する。
【００２２】
本実施の形態の光スイッチでは、プリズム７を回転させてもコリメータ２と反射面８ａとの距離、反射面８ａと反射面８ｂとの距離、反射面８ｂと各コリメータ４ａ〜４ｌとの距離は変化しない。よってコリメータ４ａ〜４ｌのうち、どのコリメータがコリメータ２との間で光路を結んでも光路長は同一であり、挿入損失も一定となる。さらに第２ポート群６を円周上に並べるので光スイッチの小型化が実現するとともに、仮想円５の半径を変化させて第２ポート群６の第２コリメータ数を増減することができ、高い拡張性が得られる。
【００２３】
尚本実施の形態では、第２ポート群６のコリメータの数は１２個に限るものではなく、また等間隔に並べる必要も無い。プリズム７等の光路変更素子が各コリメータ４ａ〜４ｌの位置にあわせて移動できるように、モータなどの光路変更素子回転部で連結部１０の回転を制御できればよい。
【００２４】
（実施の形態２）
本発明の実施の形態２について、本実施の形態の光スイッチの構成図である図３と、入出力ポートと光路変更素子の構成図である図４とを用いて説明する。光ファイバ１、コリメータ２、第２ポート群６、プリズム７、モータ９、連結部１０は実施の形態１と同じである。本実施の形態では新たに第３ポート群２０が加わる。
【００２５】
第３ポート群２０は光ファイバ２１ａ〜２１ｌが夫々接続された１２個のコリメータ２２ａ〜２２ｌを備えて、第２ポート群６と面対称であり、各コリメータ２２ａ〜２２ｌの端面は同一平面上にあって、仮想円２３の円周上に配置されている。さらに図３に示すように、第２ポート群６と第３ポート群２０の各コリメータは、コリメータ４ａと２２ａ、コリメータ４ｂと２２ｂ…というような組み合わせで光軸を１対１で一致させている。尚、図３は光ファイバ３ｄ，３ｊ，２１ｄ，２１ｊ、コリメータ４ｄ，４ｊ，２２ｄ，２２ｊを図示していない。
【００２６】
続いて本実施の形態の光スイッチの動作について説明する。図３は、第２ポート群６と第３ポート群２０の各ポートの間で光路が結ばれている状態を表している。具体的には第３ポート群２０から第２ポート群６に向けて光信号であるコリメートビームが送られている。このときプリズム７は、いずれのコリメートビームにも干渉しない位置にあり、例えば図４の破線部のようなコリメータ４ｆと４ｇとの間にある。
【００２７】
コリメータ２２ｉ側のポートが故障すると、切換えの指示によりモータ９が連結部１０を介してプリズム７を回転させて、図４に示すようにプリズム７を破線部からコリメータ４ｉの位置まで移動させる。この移動の要領は実施の形態１と同様であり、コリメータ４ｉの光軸と反射面８ｂは４５°で交わる。後は、実施の形態１と同じ経路でコリメータ２とコリメータ４ｉとの間で光路が結ばれて切換えが終了する。
【００２８】
尚、実施の形態１，２の連結部１０の形状は、光路変更素子回転部や光路変更素子の形状や配置に合わせて適宜変更することができ、必ずしもクランク状になっている必要は無い。
【００２９】
（実施の形態３）
次に本発明の実施の形態３による光スイッチについて、図５〜７を用いて説明する。図５の本実施の形態の光スイッチにおいて、光ファイバ１、コリメータ２、第２ポート群６、プリズム７、モータ９、第３ポート群２０は実施の形態２と同様である。本実施の形態では新たに位置調整部である跳ね上げ機構３０が加わる。尚、図５では光ファイバ３ｄ，３ｊ，２１ｄ，２１ｊ、コリメータ４ｄ，４ｊ，２２ｄ，２２ｊを図示していない。
【００３０】
図６は跳ね上げ機構３０の構成図である。跳ね上げ機構３０は、プリズム７と跳ね上げ機構３０を連結するアーム部３１と、ガイドレール３２とスライダ部３３を備えるリニアスライダ３４と、アーム部３１とリニアスライダ３４をつなぐ連結部３６とを備えている。跳ね上げ機構３０は、プリズム７の回動が可能な状態で、アーム部３１を固定点３５で固定している。これによりアーム部３１は、固定点３５を中心にアーム部３１自身を半径として回動することができる。リニアスライダ３４のスライダ部３３は連結部３６によってアーム部３１に連結される。ガイドレール３２はその両端が跳ね上げ機構３０に固定され、スライダ部３３の直線運動の方向とアーム部３１の回転面とが平行になっている。これにより、スライダ部３３の直線運動にあわせて、アーム部３１は固定点３５を中心として回動を行う。このように構成された跳ね上げ機構３０は、プリズム７が第２ポート群６の光軸と交わらない破線で示す第１の位置と、第２ポート群６の光軸と交わる実線で示す第２の位置との間で、プリズム７を回動させることができる。また第２の位置においては、プリズム７の側面８ｃ，８ｄと第２ポート群６の仮想円５とが平行となる。さらに連結部３８の回転軸は、モータ９の回転軸と同じであり、第２ポート群６の仮想円５の中心軸に一致している。
【００３１】
このような跳ね上げ機構３０を用いた光スイッチの動作について説明する。実施の形態２と同様に、光信号が第３ポート群２０から第２ポート群６に向けて送られているとき、第２，３ポート群６，２０の全てのポート間で光信号による回線が結ばれているおり、プリズム７は図５の破線部に示すような、いずれの光信号にも干渉しない第１の位置にある。
【００３２】
次に、いずれかのポート、例えばコリメータ２２ｉ側のポートが故障すると、ポート切換えの指示により、実施の形態２と同様にモータ９が回転する。モータ９は、プリズム７を、跳ね上げ機構３０を介して第２ポート群６のコリメータ４ｉに対応する位置まで回転させる。このときプリズム７は図７の破線で示す第１の位置にある。この状態から跳ね上げ機構３０が、プリズム７を実線で示す第２の位置に回動させる。こうすることで、実施の形態２と同様にプリズム７の反射面８ａ，８ｂはそれぞれコリメータ２，４ｉの光軸と４５°で交わるので、コリメータ２とコリメータ４ｉとの間で光路が結ばれて切換えが終了する。
【００３３】
尚、跳ね上げ機構３０は、プリズム７を第１の位置と第２の位置との間で移動させることができればよいので、跳ね上げ機構３０の配置や形状は、必ずしも図面で示したとおりになっている必要は無い。
【００３４】
（実施の形態４）
本発明の実施の形態４による光スイッチについて、図８〜１０を用いて説明する。図８の光スイッチにおいて光ファイバ１、コリメータ２、第２ポート群６、プリズム７、モータ９、第３ポート群２０、連結部３８は実施の形態３と同じである。本実施の形態では新たに位置調整部であるスライディング機構４０が加わる。
【００３５】
図９は、スライディング機構４０の構成図である。スライディング機構４０はリニアスライダ４１を含んでおり、リニアスライダ４１はスライダ部４２とガイドレール４３とを備えている。ガイドレール４３は両端がスライディング機構４０内に固定され、スライダ部４２はガイドレール４３に沿って直線運動を行なう。プリズム７とスライダ部４２はアーム部４４を介して固定されている。プリズム７は、側面８ｃ，８ｄがスライダ部４２の運動方向と平行になるように固定されており、スライダ部４２とともに直線運動をする。このように構成されたスライディング機構４０は、リニアスライダ４１の運動方向と仮想円５との平行を保持するように連結部３８を介してモータ９に取り付けられる。このスライディング機構４０は、プリズム７の側面８ｄと第２ポート群６の仮想円５との平行を保ちながら、破線で示す第２ポート群６の光軸と交わらない第１の位置と、実線で示す光軸と交わる第２の位置との間でプリズム７を移動させるものである。
【００３６】
このようなスライディング機構４０を用いた光スイッチの動作について説明する。光信号が第３ポート群２０の各ポートから第２ポート群６の夫々のポートに向けて送られているとき、全てのポート間で光信号による回線が結ばれている。このときプリズム７は図８の破線に示すように、いずれの光信号にも干渉しない第１の位置にある。尚、図８ではコリメータ４ｄ，４ｊ，２２ｄ，２２ｊ、光ファイバ３ｄ，３ｊ，２１ｄ，２１ｊを図示していない。
【００３７】
次に、いずれかのポート、例えばコリメータ２２ｉ側のポートが故障すると、ポート切換の指示により、実施の形態３と同様にモータ９が回転する。モータ９は、プリズム７を、スライディング機構４０を介して第２ポート群６のコリメータ４ｉに対応する位置まで回転させる。このとき、プリズム７は図１０の破線で示す第１の位置にある。この状態からスライディング機構４０が、リニアスライダ４２の直線運動によってプリズム７を実線で示す第２の位置にアーム部４１を介して移動させる。こうすることで、実施の形態２と同様に反射面８ａ，８ｂはそれぞれコリメータ２，４ｉの光軸と４５°で交わるので、コリメータ２とコリメータ４ｉとの間で光路が結ばれて切換えが終了する。
【００３８】
尚、スライディング機構４０は、プリズム７を第１の位置と第２の位置との間で移動させることができればよいので、スライディング機構４０の配置や形状は、必ずしも図面で示したとおりになっている必要はない。
【００３９】
実施の形態３，４の光スイッチによれば、第２，第３ポート群６，２０の光路外にプリズム７を保持してプリズム７を回転させるため、故障とは無関係な回線の光路に干渉することなく、プリズム７を目的の位置まで移動させることができる。このことは故障とは無関係な回線を瞬断させることなく回線を切換えることができるという効果をもたらす。
【００４０】
尚、実施の形態２〜４では、第２，３ポート群６，２０のコリメータの数は１２個に限るものではなく、また等間隔に並べる必要も無い。プリズム７等の光路変更素子が第２ポート群６の各コリメータの位置にあわせて移動できるように、モータ９などの光路変更素子回転部で制御できればよい。
【００４１】
実施の形態１〜４はともに、プリズム７の反射面８ａと反射面８ｂとは平行でなくてもよい。反射面８ａ，８ｂでの入反射の光路がコリメータ２の光軸と第２ポート群６のコリメータの光軸とに一致していればよい。反射面８ａと反射面８ｂとのなす角が変わっても、コリメータ２の配置や各コリメータ４ａ〜４ｌの配置を変えて光路が結ばれれば、本実施の形態と同様の光スイッチを構成することができる。また、プリズム７に代えて、反射面８ａ、８ｂに相当する２つのミラーを用いて同様の構成にすることもできる。
【００４２】
尚、実施の形態３〜４の光スイッチから第３ポート群２０を除いて回線の切換えができる光スイッチを実現することができる。
【００４３】
実施の形態２〜４の光スイッチによれば、第３ポート群２０のあるポートが故障しても、第１ポートと第２ポート群６の対応するポートとの間で新たに光路が結ばれる。その光路は対応する第２ポート群６のどのポートに対しても一定であるので、挿入損失も常に一定となる。さらに第２，第３ポート群６，２０はコリメータを円周上に並べているので光スイッチの小型化が実現するとともに、仮想円５，２３の半径を変化させて第２，第３ポート群６，２０が含むコリメータの数を増減することができ、ポート数を任意に選択できる。
【００４４】
実施の形態１〜４の第２ポート群６は、仮想円上で複数の第２ポートの光軸が並列に且つ等間隔に並ぶように構成されているが、第２ポート群の構成はこれに限るものではない。実施の形態１〜４の複数の第２ポートの光軸は全て、第１ポートの光軸に対して同じ距離にあり平行であるが、これは複数の第２ポートが第１ポートの光軸に対して空間的に対称な位置にあることの一例に過ぎない。複数の第２ポートが第１ポートの光軸に対して空間的に対称な位置であれば、それらは並列や等間隔に並んでいなくてもよい。例えば複数の第２ポートが、円錐形の側面で入出力端面が円錐形の頂点に向けて並び、円錐形の頂点と底面の中心を第１ポートの光軸が通っていれば、第２ポート群を形成して実施の形態１〜５と同様の光スイッチを実現することができる。更に、第１ポートの光軸上の一点に向けて第２ポートの光軸が集中するような位置であってもよい。この場合光路変更素子は第１の反射面を持つだけでよい。
【００４５】
さらに実施の形態１〜４は、各ポートそれぞれの入力と出力を逆転させても、光スイッチとして用いることができる。
【図面の簡単な説明】
【００４６】
【図１】本発明の実施の形態１における光スイッチの構成図である。
【図２】本発明の実施の形態１における光スイッチの第２ポート群及びプリズムの構成図である。
【図３】本発明の実施の形態２における光スイッチの構成図である。
【図４】本発明の実施の形態２における光スイッチの第２ポート群及びプリズムの構成図である。
【図５】本発明の実施の形態３における光スイッチの構成図である。
【図６】本発明の実施の形態３における跳ね上げ機構の構成図である。
【図７】本発明の実施の形態３における光スイッチの第２ポート群及びプリズムの構成図である。
【図８】本発明の実施の形態４における光スイッチの構成図である。
【図９】本発明の実施の形態４におけるスライディング機構の構成図である。
【図１０】本発明の実施の形態４における光スイッチの第２ポート群及びプリズムの構成図である。
【図１１】従来の光スイッチの構成図である。
【図１２】従来の光スイッチの他の例を示す構成図である。
【符号の説明】
【００４７】
１  光ファイバ
２  コリメータ
３ａ〜３ｌ  光ファイバ
４ａ〜４ｌ  コリメータ
５  仮想円
６  第２ポート群
７  プリズム
８ａ  第１の反射面
８ｂ  第２の反射面
８ｃ，８ｄ  側面
９  モータ
１０  連結部
２０  第３ポート群
２１ａ〜２１ｌ  光ファイバ
２２ａ〜２２ｌ  コリメータ
２３  仮想円
３０  跳ね上げ機構
３１  アーム部
３２  ガイドレール
３３  スライダ部
３４  リニアスライダ
３５  固定点
３６  連結部
３７  連結部
４０  スライディング機構
４１  リニアスライダ
４２  スライダ部
４３  ガイドレール
４４  アーム部
【図１】
2007193009.tif 000003
【図２】
2007193009.tif 000004
【図３】
2007193009.tif 000005
【図４】
2007193009.tif 000006
【図５】
2007193009.tif 000007
【図６】
2007193009.tif 000008
【図７】
2007193009.tif 000009
【図８】
2007193009.tif 000010
【図９】
2007193009.tif 000011
【図１０】
2007193009.tif 000012
【図１１】
2007193009.tif 000013
【図１２】
2007193009.tif 000014